(57)【特許請求の範囲】
【請求項１】
無線通信網の基地局内の無線リンク制御エンティティにおいてｅＭＢＭＳ伝送のダウンリンク・データ同期を制御する方法であって、各無線リンク制御サービス・データ単位が、長さインジケータに対応し、各長さインジケータが、拡張ビットに対応し、各無線リンク制御サービス・データ単位の、前記長さインジケータおよび前記拡張ビットの対が、バイト・アラインメントされる、方法において、
無線リンク制御サービス・データ単位の最後のセグメントまたは無線リンク制御サービス・データ単位全体が無線リンク制御プロトコル・データ単位の末尾に充填されるかどうか決定するステップと、
前記無線リンク制御サービス・データ単位の前記最後のセグメントまたは前記無線リンク制御サービス・データ単位全体が前記無線リンク制御プロトコル・データ単位の末尾に充填される場合は、前記最後のセグメントまたは前記無線リンク制御サービス・データ単位全体を示す第１の特定の長さインジケータを生成するステップと、
前記第１の特定の長さインジケータおよびその前記対応する拡張ビットを、次の無線リンク制御プロトコル・データ単位に充填するステップと、
を備え、
前記バイト・アラインメントのために、前記長さインジケータと該長さインジケータに対応する前記拡張ビットの対ごとに、充填空きが挿入されている方法。
【請求項２】
無線リンク制御サービス・データ単位の最後のセグメントまたは無線リンク制御サービス・データ単位全体が無線リンク制御プロトコル・データ単位に充填された後、前記無線リンク制御プロトコル・データ単位内に１つのバイトが残っているかどうか決定するステップと、
前記無線リンク制御サービス・データ単位の前記最後のセグメントまたは前記無線リンク制御サービス・データ単位全体が前記無線リンク制御プロトコル・データ単位に充填された後、前記無線リンク制御プロトコル・データ単位内に１つのバイトが残っている場合は、次の無線リンク制御サービス・データ単位の第１のバイトのデータをこうしたバイトに充填し、前記最後のセグメントまたは前記無線リンク制御サービス・データ単位全体を示す第２の特定の長さインジケータを生成するステップと、
前記第２の特定の長さインジケータおよびその前記対応する拡張ビットを、次の無線リンク制御プロトコル・データ単位に充填するステップと
を備える、請求項１に記載の方法。
【請求項３】
無線リンク制御サービス・データ単位の最後のセグメントまたは無線リンク制御サービス・データ単位全体が１つの無線リンク制御プロトコル・データ単位に充填された後、前記無線リンク制御プロトコル・データ単位内に複数のバイトが残っているかどうか決定するステップと、
前記無線リンク制御サービス・データ単位の前記最後のセグメントまたは前記無線リンク制御サービス・データ単位全体が１つの無線リンク制御プロトコル・データ単位に充填された後、前記無線リンク制御プロトコル・データ単位内に複数のバイトが残っている場合は、前記無線リンク制御サービス・データ単位の前記最後のセグメントまたは前記無線リンク制御サービス・データ単位全体の長さに従って一般の長さインジケータを生成するステップと、
前記一般の長さインジケータおよびその前記対応する拡張ビットを前記無線リンク制御プロトコル・データ単位に充填するステップと
を備える、請求項１に記載の方法。
【請求項４】
それぞれの無線リンク制御サービス・データ単位の対応するサービス・データ単位シーケンス番号、および前記無線リンク制御サービス・データ単位が属する送信ウィンドウ内の前記無線リンク制御サービス・データ単位の前の無線リンク制御サービス・データ単位の長さ合計を取得するステップと、
前記取得された無線リンク制御サービス・データ単位のサービス・データ単位シーケンス番号に従って、無線リンク制御サービス・データ単位が失われているかどうか決定するステップと、
無線リンク制御サービス・データ単位が失われている場合は、前記受信された無線リンク制御サービス・データ単位の対応する前記サービス・データ単位シーケンス番号、および前記失われた無線リンク制御サービス・データ単位の前後の前記無線リンク制御サービス・データ単位が属する送信ウィンドウ内の前記無線リンク制御サービス・データ単位の前の前記無線リンク制御サービス・データ単位の長さ合計に従って、前記失われた無線リンク制御サービス・データ単位の数、および前記対応する失われた無線リンク制御サービス・データ単位の長さ合計を決定するステップと、
前記失われた無線リンク制御サービス・データ単位の長さ合計のデータと、前記長さインジケータおよび前記拡張ビットの長さのデータとを、１つまたは複数の無線リンク制御プロトコル・データ単位の対応する位置に充填するステップと
を備える、請求項１に記載の方法。
【請求項５】
前記送信ウィンドウが、時間ウィンドウまたは無線リンク制御サービス・データ単位数のウィンドウである、請求項４に記載の方法。
【請求項６】
各無線リンク・サービス・データ単位の前記長さインジケータおよび前記拡張ビットが２バイトを占有する、請求項５に記載の方法。
【請求項７】
前記無線リンク制御プロトコル・データ単位が、フレーム情報フィールドと、プロトコル・データ単位シーケンス番号と、前記シーケンス番号に対応する拡張ビットとを含む、請求項１に記載の方法。
【請求項８】
無線通信網の基地局内の無線リンク制御エンティティにおいてｅＭＢＭＳ伝送のダウンリンク・データ同期を制御する同期制御装置であって、各無線リンク制御サービス・データ単位が、１つの長さインジケータに対応し、各長さインジケータが、１つの拡張ビットに対応し、各無線リンク制御サービス・データ単位の前記長さインジケータおよび前記拡張ビットの対が、バイト・アラインメントされる、同期制御装置において、
無線リンク制御サービス・データ単位の最後のセグメントまたは無線リンク制御サービス・データ単位全体が無線リンク制御プロトコル・データ単位の末尾に充填されるかどうか決定する第１の決定ユニットと、
前記無線リンク制御サービス・データ単位の前記最後のセグメントまたは前記無線リンク制御サービス・データ単位全体が前記無線リンク制御プロトコル・データ単位の末尾に充填される場合は、前記最後のセグメントまたは前記無線リンク制御サービス・データ単位全体を示す第１の特定の長さインジケータを生成する生成ユニットと、
前記第１の特定の長さインジケータおよびその前記対応する拡張ビットを、次の無線リンク制御プロトコル・データ単位に充填する充填ユニットと、を備え、
前記バイト・アラインメントのために、前記長さインジケータと該長さインジケータに対応する前記拡張ビットの対ごとに、充填空きが挿入されている装置。
【請求項９】
前記第１の決定ユニットがさらに、
無線リンク制御サービス・データ単位の最後のセグメントまたは無線リンク制御サービス・データ単位全体が無線リンク制御プロトコル・データ単位に充填された後、前記無線リンク制御プロトコル・データ単位内に１つのバイトが残っているかどうか決定し、
前記充填ユニットがさらに、
前記無線リンク制御サービス・データ単位の前記最後のセグメントまたは前記無線リンク制御サービス・データ単位全体が前記無線リンク制御プロトコル・データ単位に充填された後、前記無線リンク制御プロトコル・データ単位内に１つのバイトが残っている場合は、次の無線リンク制御サービス・データ単位の第１のバイトのデータをこうしたバイトに充填し、
前記生成ユニットがさらに、
前記無線リンク制御サービス・データ単位の前記最後のセグメントまたは前記無線リンク制御サービス・データ単位全体が前記無線リンク制御プロトコル・データ単位に充填された後、前記無線リンク制御プロトコル・データ単位内に１つのバイトが残っている場合は、前記最後のセグメントまたは前記無線リンク制御サービス・データ単位全体を示す第２の特定の長さインジケータを生成し、
前記生成ユニットがさらに、
前記第２の特定の長さインジケータおよびその前記対応する拡張ビットを、次の無線リンク制御プロトコル・データ単位に充填する、請求項８に記載の同期制御装置。
【請求項１０】
前記第１の決定ユニットがさらに、
無線リンク制御サービス・データ単位の最後のセグメントまたは無線リンク制御サービス・データ単位全体が無線リンク制御プロトコル・データ単位に充填された後、前記無線リンク制御プロトコル・データ単位内に複数のバイトが残っているかどうか決定し、
前記生成ユニットがさらに、
前記無線リンク制御サービス・データ単位の前記最後のセグメントまたは前記無線リンク制御サービス・データ単位全体が前記無線リンク制御プロトコル・データ単位に充填された後、前記無線リンク制御プロトコル・データ単位内に複数のバイトが残っている場合は、前記無線リンク制御サービス・データ単位の前記最後のセグメントまたは前記無線リンク制御サービス・データ単位全体の長さに従って一般の長さインジケータを生成し、
前記充填ユニットがさらに、
前記一般の長さインジケータおよびその前記対応する拡張ビットを、前記無線リンク制御プロトコル・データ単位に充填するステップとを備える、請求項８に記載の同期制御装置。
【請求項１１】
前記同期制御装置がさらに、
それぞれの無線リンク制御サービス・データ単位の対応するサービス・データ単位シーケンス番号、および前記無線リンク制御サービス・データ単位が属する送信ウィンドウ内の前記無線リンク制御サービス・データ単位の前の無線リンク制御サービス・データ単位の長さ合計を取得する取得ユニットと、
前記取得された無線リンク制御サービス・データ単位のサービス・データ単位シーケンス番号に従って、無線リンク制御サービス・データ単位が失われているかどうか決定し、前記無線リンク制御サービス・データ単位が失われている場合は、前記受信された無線リンク制御サービス・データ単位の前記サービス・データ単位シーケンス番号、および前記失われた無線リンク制御サービス・データ単位の前後の前記無線リンク制御サービス・データ単位が属する送信ウィンドウ内の前記無線リンク制御サービス・データ単位の前の前記無線リンク制御サービス・データ単位の長さ合計に従って、前記失われた無線リンク制御サービス・データ単位の数、および前記対応する失われた無線リンク制御サービス・データ単位の長さ合計を決定する第２の決定ユニットとを備え、
前記充填装置がさらに、
前記失われた無線リンク制御サービス・データ単位の長さ合計のデータと、前記長さインジケータおよび前記拡張ビットの長さのデータとを、１つまたは複数の無線リンク制御プロトコル・データ単位の対応する位置に充填する、請求項８に記載の同期制御装置。
【請求項１２】
前記送信ウィンドウが、時間ウィンドウまたは無線リンク制御サービス・データ単位数のウィンドウである、請求項１１に記載の同期制御装置。
【請求項１３】
各無線リンク・サービス・データ単位の前記長さインジケータおよび前記拡張ビットが２バイトを占有する、請求項１２に記載の同期制御装置。
【請求項１４】
前記無線リンク制御プロトコル・データ単位が、フレーム情報フィールドと、プロトコル・データ単位シーケンス番号と、前記シーケンス番号に対応する拡張ビットとを含む、請求項８に記載の同期制御装置。
【発明の詳細な説明】
【技術分野】
【０００１】
本発明は、無線通信網の基地局に関し、より詳細には、無線リンク制御（ＲＬＣ、Ｒａｄｉｏ  Ｌｉｎｋ  Ｃｏｎｔｒｏｌ）エンティティにおいてｅＭＢＭＳ伝送のダウンリンク・データ同期を制御する方法および装置に関する。
【背景技術】
【０００２】
３ＧＰＰ  ３６．３００のＳＹＮＣプロトコルでは、下記のように要件が提案されている。すなわち、ｅＭＢＭＳ伝送において、ｅＮｏｄｅＢすなわち基地局は、無線リンク制御サービス・データ単位（ＲＬＣ  ＳＤＵ、Ｒａｄｉｏ  Ｌｉｎｋ  Ｃｏｎｔｒｏｌ  Ｓｅｒｖｉｃｅ  Ｄａｔｅ  Ｕｎｉｔ、以下「サービス・データ単位」とも呼ばれる）の損失を検出し、連続したパケットが失われる場合に他の基地局との同期を維持することができる。ｅＭＢＭＳ伝送では、無線リンク制御エンティティにＡＲＱ誤り訂正機構がない非肯定応答モード（ＵＭ：Ｕｎａｃｋｎｏｗｌｅｄｇｅ  Ｍｏｄｅ）が用いられることが知られている。
【０００３】
１つの送信ウィンドウで送られた無線リンク制御サービス・データ単位のシーケンス番号、および各パケットについて前記無線リンク制御サービス・データ単位の前に送られたサービス・データ単位の合計の長さから、基地局は、ゲートウェイからｅＮｏｄｅＢインターフェースへのデータ伝送において連続したパケットの損失が発生した場合に、いくつの無線リンク制御サービス・データ単位が失われたかを、また失われた無線リンク制御サービス・データ単位の長さを知る。パケットを失っていない他の基地局とのデータ伝送同期を維持するために、こうした情報に基づいて基地局は、送信ブロック、すなわち無線リンク制御プロトコル・データ単位（ＲＬＣ  ＰＤＵ、Ｒａｄｉｏ  Ｌｉｎｋ  Ｃｏｎｔｒｏｌ  Ｐｒｏｔｏｃｏｌ  Ｄａｔｅ  Ｕｎｉｔ、以下「プロトコル・データ単位」と呼ばれる）内のどこに、失われたサービス・データ単位の後に正しく受信されたサービス・データ単位が充填されるか知らなければならない。上記要件によれば、失われたサービス・データ単位の所与の数のサービス・データ単位の無線リンク制御ヘッダ・オーバヘッドは、サービス・データ単位の長さ分布に依存すべきでない。
【０００４】
図１に示されたように、３ＧＰＰ  ＴＳ  ３６．３２２  Ｖ８．４．０、２００８年１２月に開示された無線リンク制御非肯定応答モード・データ・プロトコル・データ単位（ＲＬＣ  ＵＭＤ  ＰＤＵ、「無線リンク制御プロトコル・データ単位」または「プロトコル・データ単位」、ＲＬＣ  ＰＤＵ  またはＰＤＵと呼ばれる）フォーマットでは、２つの連続した無線リンク制御サービス・データ単位の場合、無線リンク制御ヘッダのサイズは、２つの連続した無線リンク制御サービス・データ単位のサイズ分布に依存する。図１に示されたフォーマットでは、それぞれのプロトコル・データ単位は、無線リンク制御ヘッダとデータ・フィールドとを含み、データ・フィールドは、１つまたは複数の無線リンク制御サービス・データ単位で充填するために使用される。プロトコル・データ単位のヘッダは、ＦＩ（フレーミング情報）フィールドと、ＳＮ（シーケンス番号）およびＳＮの拡張ビットと、データ・フィールド内に充填された１つまたは複数の無線リンク制御サービス・データ単位に対応する長さインジケータ、および長さインジケータの拡張ビットとを含む。２つ以上の無線リンク制御サービス・データ単位のデータが、そのデータ・フィールド内に含まれている時かつその時に限り、長さインジケータおよび長さインジケータの拡張ビットがある。さらに、データ・フィールド内のサービス・データ単位の最後のサービス・データ単位またはセグメントについては、長さインジケータも、対応する拡張ビットも、それに割り当てられない。
【０００５】
図１のフォーマットによれば、第１の無線リンク制御サービス・データ単位が第１の無線リンク制御プロトコル・データ単位に充填され、第２の無線リンク制御サービス・データ単位が２つのセグメントを有し、第１のセグメントが第１の無線リンク制御プロトコル・データ単位に充填され、第２のセグメントが第２の無線リンク制御プロトコル・データ単位に充填される場合、各無線リンク制御サービス・データ単位のための２バイトの無線リンク制御ヘッダ・オーバヘッドがある。
【０００６】
無線リンク制御プロトコル・データ単位がちょうど２つの無線リンク制御サービス・データ単位で充填される場合は、無線リンク制御プロトコル・データ単位の対応する無線リンク制御ヘッダ・オーバヘッドは、２バイトである。
【０００７】
無線リンク制御プロトコル・データ単位が第１の無線リンク制御サービス・データ単位の第１のセグメントで充填され、第２の無線リンク制御プロトコル・データ単位が、第１の無線リンク制御サービス・データ単位の第２のセグメントおよび第２の無線リンク制御サービス・データ単位で充填される場合は、第２の無線リンク制御プロトコル・データ単位の対応する無線リンク制御ヘッダ・オーバヘッドは、２つの無線リンク制御サービス・データ単位のための３バイトである。
【０００８】
２つの連続した無線リンク制御サービス・データ単位の無線リンク制御ヘッダ・オーバヘッドがそれらの２つの無線リンク制御サービス・データ単位のサイズ分布に依存するので、２つの連続したパケットが失われる場合、基地局は、それらの２つの無線リンク制御サービス・データ単位の無線リンク制御ヘッダ・オーバヘッドを知ることができず、それに対応する無線リンク制御プロトコル・データ単位を正確に充填することもできず、複数の基地局のｅＭＢＭＳ伝送のダウンリンク・データの同期が失われる結果となることが分かる。
【先行技術文献】
【非特許文献】
【０００９】
【非特許文献１】３ＧＰＰ  ＴＳ  ３６．３２２  Ｖ８．４．０、２００８年１２
【非特許文献２】３ＧＰＰ機構ＲＡＮ３ワークグループ提案Ｒ３−０９１３０３「ＳＹＮＣ  ｃｏｎｓｉｄｅｒａｔｉｏｎ  ｆｏｒ  ｅＭＢＭＳ  Ｒｅｌ９」（ｈｔｔｐ：／／ｗｗｗ．３ｇｐｐ．ｏｒｇ／ｆｔｐ／ｔｓｇ＿ｒａｎ／ＷＧ３＿Ｉｕ／ＴＳＧＲ３＿６４／Ｄｏｃｓ／）
【発明の概要】
【発明が解決しようとする課題】
【００１０】
背景技術において述べられた問題のために、無線通信網の基地局内の無線リンク制御エンティティにおいてｅＭＢＭＳ伝送のダウンリンク・データ同期を制御する技術方式が、本発明で提案される。各ＲＬＣ  ＳＤＵの長さインジケータおよび拡張ビットは、各サービス・データ単位の長さインジケータを決定することによってバイト・アラインされ、各長さインジケータは、１つの拡張ビットに対応し、それぞれのサービス・データ単位について、その対応する無線リンク制御ヘッダ・オーバヘッドが固定される。
【課題を解決するための手段】
【００１１】
本発明の第１の態様によれば、無線通信網の基地局内の無線リンク制御エンティティにおいてｅＭＢＭＳ伝送のダウンリンク・データ同期を制御する方法が提供され、各無線リンク制御サービス・データ単位が、１つの長さインジケータに対応し、各長さインジケータが、１つの拡張ビットに対応し、各無線リンク制御サービス・データ単位の長さインジケータおよび拡張ビットが、バイト・アラインされる。この方法は、無線リンク制御サービス・データ単位の最後のセグメントまたは無線リンク制御サービス・データ単位全体が１つの無線リンク制御プロトコル・データ単位の末尾に充填されるかどうか決定するステップと、無線リンク制御サービス・データ単位の最後のセグメントまたは無線リンク制御サービス・データ単位全体が１つの無線リンク制御プロトコル・データ単位の末尾に充填される場合は、前記最後のセグメントまたは前記無線リンク制御サービス・データ単位全体を示す第１の特定の長さインジケータを生成するステップと、前記第１の特定の長さインジケータおよびその対応する拡張ビットを、次の無線リンク制御プロトコル・データ単位に充填するステップとを備える。
【００１２】
本発明の第２の態様によれば、無線通信網の基地局内の無線リンク制御エンティティにおいてｅＭＢＭＳ伝送のダウンリンク・データ同期を制御する同期制御装置が提供され、各無線リンク制御サービス・データ単位が、１つの長さインジケータに対応し、各長さインジケータが、１つの拡張ビットに対応し、各無線リンク制御サービス・データ単位の長さインジケータおよび拡張ビットが、バイト・アラインされる。同期制御装置は、無線リンク制御サービス・データ単位の最後のセグメントまたは無線リンク制御サービス・データ単位全体が１つの無線リンク制御プロトコル・データ単位の末尾に充填されるかどうか決定する第１の決定ユニットと、無線リンク制御サービス・データ単位の最後のセグメントまたは無線リンク制御サービス・データ単位全体が１つの無線リンク制御プロトコル・データ単位の末尾に充填される場合は、前記最後のセグメントまたは前記無線リンク制御サービス・データ単位全体を示す第１の特定の長さインジケータを生成する生成ユニットと、前記第１の特定の長さインジケータおよびその対応する拡張ビットを、次の無線リンク制御プロトコル・データ単位に充填する充填ユニットとを備える。
【００１３】
本発明の技術方式を採用することによって、それぞれのサービス・データ単位について、その対応する無線リンク制御ヘッダ・オーバヘッドが固定され、したがって、特定の基地局によって受信されたサービス・データ単位に連続したパケット損失が発生する場合でも、前記基地局と、正確に受信する他の基地局との間の同期を依然として達成することができる。
【００１４】
本発明の特徴、目的および利点は、図面を参照して、非限定的な諸実施形態についての詳細な説明を読むことによりさらに明らかになろう。
【図面の簡単な説明】
【００１５】
【図１】関連技術の無線リンク制御非肯定応答モード・プロトコル・データ単位のフォーマットを示す図である。
【図２】本明細書の一実施形態による無線リンク制御非肯定応答モード・プロトコル・データ単位を示す概略図である。
【図３】無線通信網の基地局内の無線リンク制御エンティティにおいてｅＭＢＭＳ伝送のダウンリンク・データ同期を制御する方法を示すフローチャートである。
【図４】本発明の別の実施形態による別のフローチャートである。
【図５】本発明の別の実施形態による１つのフローチャートである。
【図６】本発明の一実施形態による、無線リンク制御サービス・データ単位を無線リンク制御プロトコル・データ単位に充填することを示す概略図である。
【図７】本発明の一実施形態による、無線通信網の基地局内の無線リンク制御サービス・データ単位にパケット損失が発生する場合の処理を示すフローチャートである。
【図８】図６に示された場合に基地局によってプロトコル・データ単位に失われたサービス・データ単位を充填することを示す一例の図である。
【図９】無線通信網の基地局内の無線リンク制御エンティティにおけるｅＭＢＭＳ伝送のダウンリンク・データ同期を制御する同期制御装置９００を示す構造概略図である。
【００１６】
図面では、同一または類似の参照符号は、同一または類似のステップ特徴または装置（モジュール）を指す。
【発明を実施するための形態】
【００１７】
以下、本発明の実施形態についての例示的な説明を、添付の図面に関連して行う。
【００１８】
図２は、本発明の一実施形態による、無線リンク制御プロトコル・データ単位のフォーマットの概略図を示している。図２では、プロトコル・データ単位は、２つの部分、無線リンク制御ヘッダとデータ・フィールドとを含む。データ・フィールドは、１つまたは複数のサービス・データ単位、またはそのセグメントで充填するために使用される。具体的には、データ・フィールドのサイズおよびサービス・データ単位のサイズに従って、１つのデータ・フィールドを複数の完全なサービス・データ単位で充填してもよいし、サービス・データ単位の１つまたは２つのセグメント、および複数の完全なサービス・データ単位で充填してもよいし、１つのサービス・データ単位の１つのセグメントだけで充填してもよいことなどが当業者には理解されよう。説明の便宜上、データ・フィールドに充填されるサービス・データ単位またはサービス・データ単位のセグメントは、要素と呼ばれる。
【００１９】
無線リンク制御ヘッダは、ＦＩフィールドと、ＳＮフィールドおよびＳＮの拡張ビットＥと、長さインジケータＬＩｉおよびその対応する拡張ビットＥとを含む。ＦＩフィールドは２つのビットを有しており、その第１のビットは、データ・フィールドの第１の要素がサービス・データ単位のセグメントかどうか示し、第２のビットは、データ・フィールドの最後の要素がサービス・データ単位のセグメントかどうか示す。それぞれの拡張ビットＥは、１ビットである。ＳＮの前の拡張ビットＥが「１」であることは、長さインジケータがプロトコル・データ単位のシーケンス番号ＳＮの直後にあることを意味し、ＳＮは５ビットであり、ＬＩ１の前の拡張ビットＥ「１」であることは、長さインジケータがＬＩ１の直後であることを意味する。最後の長さインジケータＬＩｋの前の拡張ビットＥが「０」であることは、データ・フィールドがＬＩｋの直後にあることを意味する。長さインジケータの長さは１１ビットである。したがって、各長さインジケータ、およびその対応する拡張ビットについては、それらは１２ビットを占有するにすぎず、バイト・アライメントのために、長さインジケータとその対応する拡張ビットの各対ごとに、４ビットが充填される。
【００２０】
一般に、長さインジケータＬＩｉの意味は、データ・フィールド内の第ｉの要素の長さ、すなわち完全なサービス・データ単位の長さまたはサービス・データ単位のセグメントの長さを指し、長さはバイト単位であり、一般の長さインジケータと呼ばれる。一部の特定の場合では、長さインジケータの意味は、データ・フィールドの要素の長さを指すものではなく、特定の長さインジケータと呼ばれる。これについては、下記に詳細に示される。
【００２１】
図１に示されたフォーマットと異なり、各長さインジケータの後に４ビットの充填空き（ｆｉｌｌｉｎｇ  ｖａｃａｎｃｙ）がある。したがって、それぞれの長さインジケータおよびその対応する拡張ビットは、バイト・アラインされる。バイト・アライメントの意味は、それぞれの長さインジケータおよびその対応する拡張ビットが、無線リンク制御ヘッダのバイトの倍数を占有するということである。図２に示された例では、それぞれの長さインジケータおよびその対応する拡張ビットは、２バイトを占有している。図２に示されたフォーマットは一例にすぎず、長さインジケータおよびその対応する拡張ビットによって占有されたバイトの数は、実際の必要性に従って決定されてよいことを当業者には理解されたい。
【００２２】
図３は、無線通信網の基地局内の無線リンク制御エンティティにおいてｅＭＢＭＳ伝送のダウンリンク・データ同期を制御するための方法フローチャートを示している。図３に示されたフローは、図２で述べられたプロトコル・データ単位のフォーマットに関連して示されている。
【００２３】
まず、ステップＳ３０１で、基地局は、１つの無線リンク制御サービス・データ単位の最後のセグメント、または１つの無線リンク制御サービス・データ単位全体が１つの無線リンク制御プロトコル・データ単位の末尾に充填されるかどうか決定する。
【００２４】
次に、ステップＳ３０２で、１つの無線リンク制御サービス・データ単位の最後のセグメントまたは無線リンク制御サービス・データ単位全体が１つの無線リンク制御プロトコル・データ単位の末尾に充填される場合は、基地局は、前記最後のセグメントまたは無線リンク制御サービス・データ単位全体を示す第１の特定の長さインジケータを生成する。
【００２５】
次いで、ステップＳ３０３で、基地局は、第１の特定の長さインジケータおよびその対応する拡張ビットを、次の無線リンク制御プロトコル・データ単位に充填する。
【００２６】
図４は、本発明による別の実施形態の別のフローチャートを示している。図４に示されたフローは、図２に述べられたプロトコル・データ単位のフォーマットに関連して示される。
【００２７】
第１に、ステップＳ４０１で、基地局は、１つの無線リンク制御サービス・データ単位の最後のセグメントまたは無線リンク制御サービス・データ単位全体が無線リンク制御プロトコル・データ単位に充填された後、無線リンク制御プロトコル・データ単位内に１つのバイトが残っているかどうか決定する。
【００２８】
次に、ステップＳ４０２で、１つの無線リンク制御サービス・データ単位の最後のセグメントまたは無線リンク制御サービス・データ単位全体が１つの無線リンク制御プロトコル・データ単位に充填された後、無線リンク制御プロトコル・データ単位内に１つのバイトが残っている場合は、基地局は、次の無線リンク制御サービス・データ単位の第１のバイトのデータをこうしたバイトに充填し、最後のセグメントまたは無線リンク制御サービス・データ単位全体を示す第２の特定の長さインジケータを生成する。
【００２９】
最後に、ステップＳ４０３で、基地局は、第２の特定の長さインジケータおよびその対応する拡張ビットを、次の無線リンク制御プロトコル・データ単位に充填する。
【００３０】
図５は、本発明の別の実施形態による１つのフローチャートを示している。図５に示されたフローは、図２に述べられたプロトコル・データ単位のフォーマットに関連して示される。
【００３１】
まず、ステップＳ５０１で、基地局は、１つの無線リンク制御サービス・データ単位の最後のセグメントまたは無線リンク制御サービス・データ単位全体が１つの無線リンク制御プロトコル・データ単位に充填された後、無線リンク制御プロトコル・データ単位内に複数のバイトが残っているかどうか決定する。
【００３２】
次に、ステップＳ５０２で、１つの無線リンク制御サービス・データ単位の最後のセグメントまたは無線リンク制御サービス・データ単位全体が１つの無線リンク制御プロトコル・データ単位に充填された後、無線リンク制御プロトコル・データ単位内に複数のバイトが残っている場合は、無線リンク制御サービス・データ単位の最後のセグメントまたは無線リンク制御サービス・データ単位全体の長さに従って一般の長さインジケータが生成される。
【００３３】
最後に、ステップＳ５０３で、基地局は、一般の長さインジケータおよびその対応する拡張ビットを、無線リンク制御プロトコル・データ単位に充填する。
【００３４】
図６は、本発明の一実施形態による、無線リンク制御サービス・データ単位を無線リンク制御プロトコル・データ単位に充填することの概略図を示しており、図６に関連して図３から５に示されたフローについて例示的な説明を行う。
【００３５】
一般性を失わず、各無線リンク制御プロトコル・データ単位の伝送容量が１０１バイトであり、ＦＩフィールドおよびＳＮフィールド、ならびにその対応する拡張ビットが１バイトを占有すると仮定する。プロトコル・データ単位に充填される３つのサービス・データ単位の長さは、それぞれ８０、９７および９７バイトである。
【００３６】
第１のプロトコル・データ単位が第１のサービス・データ単位で充填される前に、他のサービス・データ単位またはサービス・データ単位のセグメントによって１００バイトのうちの２０バイトが占有されていると仮定する。基地局は、第１のサービス・データ単位の第１の特定の長さインジケータＬＩ１を生成し、８０バイトの長さを有する第１のサービス・データ単位がちょうど第１のプロトコル・データ単位の末尾に充填されるので、ＬＩ１を第２のプロトコル・データ単位に充填する。したがって、第２のプロトコル・データ単位で２バイトが占有されている。９７バイトの長さを有する第２のサービス・データ単位が第２のプロトコル・データ単位に充填された後、第２のプロトコル・データ単位には１バイトしか残っていないので、基地局は、第３のサービス・データ単位の第１のバイトを第２のプロトコル・データ単位の最終バイトに充填し、第２のサービス・データ単位の第２の特定の長さインジケータを生成し、第２の特定の長さインジケータおよびその対応する拡張ビットを第３のプロトコル・データ単位のまさに冒頭に充填する。次に、基地局は、第３のサービス・データ単位の９６バイトの残りのセグメントを第３のプロトコル・データ単位に充填し、その後、第３のプロトコル・データ単位には２バイトが残っており、次いで、基地局は、第３のサービス・データ単位の９６バイトのセグメントの一般の長さインジケータ、すなわち「００００１１０００００」を生成する。したがって、基地局は、プロトコル・データ単位に他のサービス・データ単位を充填し始めることができる。
【００３７】
本発明の一実施形態による長さインジケータの値の概略的な表が、表１に示されている。表１では、すべてゼロの値が予約されており、「１１１１１１１１１１０」は、第１の特定の長さインジケータの値であり、「１１１１１１１１１１１」は、第２の特定の長さインジケータの値であり、「００００００００００１」から「１１１１１１１１１０１」は、一般の長さインジケータの値を示す。もちろん、一般の長さインジケータの実際値は、サービス・データ単位またはそのセグメントの長さによって決まる。図１および表１は、例示的な例にすぎず、実際には、一般の長さインジケータの値は、実際のサービス・データ単位およびプロトコル・データ単位の長さによって決まり、特定の長さインジケータの特定の値は、上記に言及されたように、「１１１１１１１１１１０」または「１１１１１１１１１１１」に限定されず、一般の長さインジケータの値以外の任意の値を、特定の長さインジケータの値として定義することができることを説明しておく。
【００３８】
基地局が無線リンク制御サービス・データ単位を正確に受信するとき、基地局がサービス・データ単位をプロトコル・データ単位に充填する場合については、上記に詳細に示されている。ユーザ・デバイスは、それぞれのサービス・データ単位を取得するために、基地局の充填のし方に従ってプロトコル・データ単位をアンパックすることができる。
【００３９】
【表１】
0005489252.tif 000002
【００４０】
以下、無線リンク制御サービス・データ単位にパケット損失が発生する場合の基地局内のプロセスについて詳細に示される。本明細書に述べられたパケット損失は、基地局が無線リンク制御サービス・データ単位を受信しない場合、または不正確な無線リンク制御サービス・データ単位が受信されない場合を含むことが明確になろう。
【００４１】
図７は、本発明の一実施形態による、無線通信網の基地局内の無線リンク制御サービス・データ単位にパケット損失が発生する場合の処理のフローチャートを示している。
【００４２】
第１に、ステップＳ７０１で、基地局は、それぞれの無線リンク制御サービス・データ単位の対応するサービス・データ単位シーケンス番号、および無線リンク制御サービス・データ単位が属する送信ウィンドウ内の無線リンク制御サービス・データ単位の前の無線リンク制御サービス・データ単位の長さ合計を取得する。送信ウィンドウは、時間ウィンドウであってもよいし、無線リンク制御サービス・データ単位の数のウィンドウであってもよい。
【００４３】
ｅＭＢＭＳサービスでは、基地局は、ＳＹＮＣプロトコル・ヘッダを介して、サービス・データ単位シーケンス番号、およびサービス・データ単位の対応するサービス・データ単位シーケンス番号、ならびに無線リンク制御サービス・データ単位が属する送信ウィンドウ内の無線リンク制御サービス・データ単位の前の無線リンク制御サービス・データ単位の長さ合計を取得する。具体的には、３ＧＰＰ機構ＲＡＮ３ワークグループ提案Ｒ３−０９１３０３におけるＳＹＮＣプロトコルのセクションに対する詳細な説明「ＳＹＮＣ  ｃｏｎｓｉｄｅｒａｔｉｏｎ  ｆｏｒ  ｅＭＢＭＳ  Ｒｅｌ９」（ｈｔｔｐ：／／ｗｗｗ．３ｇｐｐ．ｏｒｇ／ｆｔｐ／ｔｓｇ＿ｒａｎ／ＷＧ３＿Ｉｕ／ＴＳＧＲ３＿６４／Ｄｏｃｓ／）を参照することができ、その説明は、本明細書では省略する。
【００４４】
第２に、ステップＳ７０２で、基地局は、取得された無線リンク制御サービス・データ単位のサービス・データ単位シーケンス番号に従って、基地局は、いずれかの無線リンク制御サービス・データ単位が失われているかどうか決定する。
【００４５】
次に、無線リンク制御サービス・データ単位が失われている場合は、基地局は、受信された無線リンク制御サービス・データ単位のサービス・データ単位シーケンス番号、および失われた無線リンク制御サービス・データ単位の前後の無線リンク制御サービス・データ単位が属する送信ウィンドウ内の無線リンク制御サービス・データ単位の前の無線リンク制御サービス・データ単位の長さ合計に従って、失われた無線リンク制御サービス・データ単位の数、および対応する失われた無線リンク制御サービス・データ単位の長さ合計を決定する。
【００４６】
最後に、基地局は、失われた無線リンク制御サービス・データ単位の長さ合計のデータと、対応する長さインジケータの長さのデータと、拡張ビットとを、１つまたは複数の無線リンク制御プロトコル・データ単位の対応する位置に充填する。
【００４７】
図６に示された例に従って、基地局が失われたサービス・データ単位をプロトコル・データ単位に充填する一例が、図６に示されたケースで、図８に示されている。
【００４８】
ｅＭＢＭＳ伝送を一例に挙げ、１つの送信ウィンドウにおいて第４から第６のサービス・データ単位がすべて失われていると仮定すると、基地局は、第１から第３のサービス・データ単位、第７およびその後のプロトコル・データ単位を受信する。次いで、基地局は、ＳＹＮＣプロトコル・ヘッダ内の受信されたサービス・データ単位シーケンス番号に従って、第４から第６のサービス・データ単位を基地局が受信しないことを知る。第３のサービス・データ単位に対応する第３のサービス・データ単位の前に送られた第１と第２のサービス・データ単位の合計の長さがＸバイトであり、第７のサービス・データ単位に対応する第７のサービス・データ単位の前に送られた６つのサービス・データ単位の合計の長さはＹバイトであり、第３のサービス・データ単位の長さはＺバイトであると仮定すると、失われた第４から第６のサービス・データ単位の長さ合計は、Ｍ＝Ｙ−Ｘ−Ｚである。一般性を失わずに、Ｍが２７４バイトであると仮定する。３つのサービス・データ単位が失われているので、１つのサービス・データ単位が１つの長さインジケータに対応する原理によれば、３つのサービス・データ単位に対応する無線リンク制御ヘッダ・オーバヘッドは６バイトであり、したがって、図８に示されたように、基地局は、対応するプロトコル・データ単位に２８０バイトを充填すべきである。基地局は、正確に受信する基地局との同期を依然として達成できることが分かる。
【００４９】
基地局の無線リンク制御エンティティは失われたサービス・データ単位をプロトコル・データ単位に充填し、基地局は、物理層でそれらの失われたサービス・データ単位に無線リソースを依然として割り当てるが、サービス・データ単位の送信は、対応する無線リソース上で行われないことを説明しておく。この時、それらのサービス・データ単位を正確に受信する他の基地局は、対応する無線リソース上でそれらのサービス・データ単位を送る。
【００５０】
図９は、無線通信網の基地局内の無線リンク制御エンティティにおけるｅＭＢＭＳ伝送のダウンリンク・データ同期を制御する同期制御装置９００の構造概略図を示している。同期制御装置９００は、第１の決定装置９０１と、生成装置９０２と、充填ユニット９０３と、取得ユニット９０４と、第２の決定装置９０５とを含む。第２の決定ユニット９０５は、オプションの装置である。
【００５１】
図９の同期制御装置９００の作業プロセスについて、図２を参照して詳細に示される。
【００５２】
第１に、第１の決定ユニット９０１は、無線リンク制御サービス・データ単位の最後のセグメントまたは無線リンク制御サービス・データ単位全体が１つの無線リンク制御プロトコル・データ単位の末尾に充填されるかどうか決定する。
【００５３】
次に、１つの無線リンク制御サービス・データ単位の最後のセグメントまたは無線リンク制御サービス・データ単位全体が１つの無線リンク制御プロトコル・データ単位の末尾に充填される場合は、生成ユニット９０２は、最後のセグメントまたは無線リンク制御サービス・データ単位全体の第１の特定の長さインジケータを生成する。
【００５４】
次いで、充填ユニット９０３は、第１の特定の長さインジケータおよびその対応する拡張ビットを次の無線リンク制御プロトコル・データ単位に充填する。
【００５５】
任意選択で、第１の決定ユニット９０１は、１つの無線リンク制御サービス・データ単位の最後のセグメントまたは無線リンク制御サービス・データ単位全体が１つの無線リンク制御プロトコル・データ単位に充填された後、無線リンク制御プロトコル・データ単位内に１つのバイトが残っているかどうか決定する。
【００５６】
１つの無線リンク制御サービス・データ単位の最後のセグメントまたは無線リンク制御サービス・データ単位全体が１つの無線リンク制御プロトコル・データ単位に充填された後、無線リンク制御プロトコル・データ単位内に１つのバイトが残っている場合は、生成ユニット９０２は、次の無線リンク制御サービス・データ単位の第１のバイトのデータをこうしたバイトに充填し、最後のセグメントまたは無線リンク制御サービス・データ単位全体を示す第２の特定の長さインジケータを生成する。
【００５７】
最後に、充填ユニット９０３は、第２の特定の長さインジケータおよびその対応する拡張ビットを、次の無線リンク制御プロトコル・データ単位に充填する。
【００５８】
任意選択で、第１の決定ユニット９０１は、１つの無線リンク制御サービス・データ単位の最後のセグメントまたは無線リンク制御サービス・データ単位全体が１つの無線リンク制御プロトコル・データ単位に充填された後、無線リンク制御プロトコル・データ単位内に複数のバイトが残っているかどうか決定する。
【００５９】
１つの無線リンク制御サービス・データ単位の最後のセグメントまたは無線リンク制御サービス・データ単位全体が１つの無線リンク制御プロトコル・データ単位に充填された後、無線リンク制御プロトコル・データ単位内に複数のバイトが残っている場合は、生成ユニット９０２は、無線リンク制御サービス・データ単位の最後のセグメントまたは無線リンク制御サービス・データ単位全体の長さに従って一般の長さインジケータを生成する。
【００６０】
最後に、充填ユニット９０３は、一般の長さインジケータおよびその対応する拡張ビットを無線リンク制御プロトコル・データ単位に充填する。
【００６１】
第１の決定ユニット９０１、生成ユニット９０２、および充填ユニット９０３の作業フローのさらなる例を、図６を参照して示す。
【００６２】
一般性を失わずに、各無線リンク制御プロトコル・データ単位の伝送容量が１０１バイトであり、ＦＩフィールドおよびＳＮフィールド、ならびにその対応する拡張ビットが１バイトを占有すると仮定する。プロトコル・データ単位に充填される３つのサービス・データ単位の長さは、それぞれ８０、９７および９７バイトである。
【００６３】
第１のプロトコル・データ単位が第１のサービス・データ単位で充填される前に、他のサービス・データ単位またはサービス・データ単位のセグメントによって１００バイトのうち２０バイトが占有されると仮定する。第１の決定ユニット９０１は、長さ８０バイトを有する第１のサービス・データ単位がちょうど第１のプロトコル・データ単位の末尾に充填されると決定し、次いで、生成ユニット９０２は、第１のサービス・データ単位の第１の特定の長さインジケータＬＩ１を生成し、充填ユニット９０３は、ＬＩ１を第２のプロトコル・データ単位に充填する。したがって、第２のプロトコル・データ単位で２バイトが占有され、次いで、９７バイトの長さを有する第２のサービス・データ単位が第２のプロトコル・データ単位に充填された後、第１の決定ユニット９０１は、第２のプロトコル・データ単位に１バイトだけが残っていると決定し、次いで、充填ユニット９０３は、第３のサービス・データ単位の第１のバイトを第２のプロトコル・データ単位の最終バイトに充填し、生成ユニット９０２は、第２のサービス・データ単位の第２の特定の長さインジケータを生成し、充填ユニット９０３は、第２の特定の長さインジケータおよびその対応する拡張ビットを第３のプロトコル・データ単位のまさに冒頭に充填する。次いで、充填ユニット９０３は、第３のサービス・データ単位の９６バイトの残りのセグメントを第３のプロトコル・データ単位に充填し、その後、第１の決定ユニット９０１は、第３のプロトコル・データ単位に２バイトが残っていると決定し、次いで、生成ユニット９０２は、第３のサービス・データ単位の９６バイトのセグメントの一般の長さインジケータ、すなわち「００００１１０００００」を生成する。したがって、同期制御装置９００は、プロトコル・データ単位に他のサービス・データ単位を充填し始めることができる。
【００６４】
長さインジケータの値については、表１の例を参照してよい。
【００６５】
同期制御装置９００が無線リンク制御サービス・データ単位を正確に受信するとき、基地局がサービス・データ単位をプロトコル・データ単位に充填する場合については、上記に詳細に示されている。ユーザ・デバイスは、それぞれのサービス・データ単位を取得するために、同期制御装置９００の充填のし方に従ってプロトコル・データ単位をアンパックすることができる。
【００６６】
無線リンク制御サービス・データ単位にパケット損失が発生する場合の同期制御装置９００のプロセスについて、下記に詳細に示される。
【００６７】
まず、取得ユニット９０３は、それぞれの無線リンク制御サービス・データ単位の対応するサービス・データ単位シーケンス番号、および無線リンク制御サービス・データ単位が属する送信ウィンドウ内の無線リンク制御サービス・データ単位の前の無線リンク制御サービス・データ単位の長さ合計を取得する。送信ウィンドウは、時間ウィンドウであってもよいし、無線リンク制御サービス・データ単位数のウィンドウであってもよい。
【００６８】
ｅＭＢＭＳサービスでは、取得ユニット９０３は、ＳＹＮＣプロトコル・ヘッダを介して、サービス・データ単位シーケンス番号、およびサービス・データ単位の対応するサービス・データ単位シーケンス番号、ならびに無線リンク制御サービス・データ単位が属する送信ウィンドウ内の無線リンク制御サービス・データ単位の前の無線リンク制御サービス・データ単位の長さ合計を取得する。
【００６９】
第２の決定ユニット９０５は、取得された無線リンク制御サービス・データ単位のサービス・データ単位シーケンス番号に従って、無線リンク制御サービス・データ単位が失われているかどうか決定する。
【００７０】
無線リンク制御サービス・データ単位が失われている場合は、第２の決定ユニット９０５は、受信された無線リンク制御サービス・データ単位のサービス・データ単位シーケンス番号、および失われた無線リンク制御サービス・データ単位の前後の無線リンク制御サービス・データ単位が属する送信ウィンドウ内の無線リンク制御サービス・データ単位の前の無線リンク制御サービス・データ単位の長さ合計に従って、失われた無線リンク制御サービス・データ単位の数、および対応する失われた無線リンク制御サービス・データ単位の長さ合計を決定する。
【００７１】
最後に、充填ユニット９０３は、失われた無線リンク制御サービス・データ単位の長さ合計のデータと、長さインジケータおよび拡張ビットの長さのデータとを、１つまたは複数の無線リンク制御プロトコル・データ単位の対応する位置に充填する。
【００７２】
上記では、本発明の特定の実施形態について述べられている。本発明は、上記の特定の実施形態に限定されず、添付の特許請求の範囲内で、当業者によって交替または修正を行ってよいことが理解されよう。本発明の技術方式は、ソフトウェアによって実装することも、ハードウェアによって実装することもできる。
【図１】
0005489252.tif 000003
【図２】
0005489252.tif 000004
【図３】
0005489252.tif 000005
【図４】
0005489252.tif 000006
【図５】
0005489252.tif 000007
【図６】
0005489252.tif 000008
【図７】
0005489252.tif 000009
【図８】
0005489252.tif 000010
【図９】
0005489252.tif 000011